(57)【特許請求の範囲】
【請求項１】
通信相手から送信された所定の既知信号に拡散符号を乗算する逆拡散手段と、
逆拡散された前記既知信号の位相変動量を補償する同期検波手段と、
同期検波された所定の既知信号のエラービット数をＦｉｎｇｅｒ毎に算出するエラービット数算出手段と、
Ｆｉｎｇｅｒ毎に算出された前記エラービット数に基づいて同期保持状態か同期はずれ状態かを判定する同期判定手段と、
Ｆｉｎｇｅｒ毎に算出された前記エラービット数のうち最小値を選択する最小エラービット数選択手段と、
を具備し、
前記同期判定手段は、前記最小エラービット数と予め設定された閾値との大小比較を行うエラービット数判定手段を有し、
前記エラービット数判定手段の判定結果において所定回数連続して前記最小エラービット数が前記閾値以下である場合に限り、同期保持状態と判定し、前記判定結果において所定回数連続して前記最小エラービット数が前記閾値を越える場合に限り、同期はずれ状態と判定することを特徴とするＣＤＭＡ同期判定装置。
【請求項２】
各Ｆｉｎｇｅｒの希望波電力対干渉波電力比を測定するＳＩＲ測定手段と、
前記ＳＩＲ測定手段によって測定された各Ｆｉｎｇｅｒの希望波電力対干渉波電力比が最大値のＦｉｎｇｅｒを選択する最大ＳＩＲ  Ｆｉｎｇｅｒ選択手段と、
を具備し、
前記同期判定手段は、前記最大ＳＩＲ  Ｆｉｎｇｅｒ選択手段によって選択されたＦｉｎｇｅｒから得られたエラービット数と予め設定された閾値との比較結果において所定回数連続して前記エラービット数が前記閾値以下である場合に限り、同期保持状態と判定し、前記比較結果において所定回数連続して前記最小エラービット数が前記閾値を越える場合に限り、同期はずれ状態と判定することを特徴とする請求項１に記載のＣＤＭＡ同期判定装置。
【請求項３】
各Ｆｉｎｇｅｒの信号からＲａｋｅ合成後に相当する希望波電力対干渉波電力比を算出するＳＩＲ算出手段と、
前記最小エラービット数と第１の閾値との閾値判定を行い、前記ＳＩＲ算出手段によって算出された希望波電力対干渉波電力比と第２の閾値との閾値判定を行う判定手段と、
を具備し、
前記同期判定手段は、前記判定手段の結果において前記最小エラービット数が前記第１の閾値以下でありかつ前記希望波電力対干渉波電力比が前記第２の閾値以上を満たすことが所定回数連続して起こる場合に限り、同期保持状態と判定し、前記最小エラービット数が前記第１の閾値以下でありかつ前記希望波電力対干渉波電力比が前記第２の閾値以上を満たさないことが所定回数連続して起こる場合に限り、同期はずれ状態と判定することを特徴とする請求項１に記載のＣＤＭＡ同期判定装置。
【発明の詳細な説明】
【０００１】
【発明の属する技術分野】
本発明は、ＤＳ−ＣＤＭＡ(Direct-Sequence Code Division Multiple Access)無線通信方式の移動通信システムにおいて使用される同期判定装置に関し、特にスロット内に一定周期で挿入された所定のパイロットシンボルを用いて、受信信号と拡散符号との同期判定（同期が保持状態か、同期はずれ状態かの判定）を行う同期判定装置に関するものである。
【０００２】
【従来の技術】
通常、ＤＳ−ＣＤＭＡ受信装置では、所定のタイミング（同期保持状態）で受信信号に拡散符号を乗算して、拡散前の信号を復元する必要があるため、拡散符号と受信信号との同期が保持する必要がある。同期保持状態であれば、受信側の拡散符号と受信信号との同期タイミングを検出する同期タイミング検出処理は、同期捕捉処理（完全に非同期な状態から同期タイミングを探し出す処理）から同期追従処理（同期タイミングを保持し、さらに細かい精度で同期タイミングを微調整する処理）へと移る。また同期はずれ状態であれば、同期捕捉処理を続けるように動作する。
【０００３】
同期判定が正しく行われず、真の同期タイミングにもかかわらず同期はずれ状態と判定されれば、同期捕捉処理から同期追従処理に移れず、精度良くデータ復調を行うことができなくなる。また、真の同期タイミングでないにもかかわらず同期保持状態と判定されれば、データは正しく復調することができなくなる。このため、精度の良い同期判定は不可欠である。
【０００４】
図１９は、従来のＣＤＭＡ同期判定装置１８００の構成を示すブロック図である。
【０００５】
図１９において、同期部１８０１は、受信信号を逆拡散する同期タイミングを算出し、その同期タイミングを逆拡散部１８０２−１〜１８０２−Ｎに設定する。逆拡散部１８０２−１〜１８０２−Ｎは、同期部１８０１より出力された各々の同期タイミングで受信信号と拡散符号を乗算し、相関信号を出力する。同期検波部１８０３−１〜１８０３−Ｎは、各パスで受けたフェージング変動を推定し、その推定値を用いてフェージング変動を補償する。
【０００６】
Ｒａｋｅ合成部１８０４は、同期検波部１８０３−１〜１８０３−Ｎより出力されたフェージング変動補償後の各Ｆｉｎｇｅｒの相関信号を合成する。
【０００７】
エラービット数算出部１８０５は、ビット照合部１８０６とＰＬパターン生成部１８０７を備えており、受信パイロットシンボルのエラービット数を算出する。
【０００８】
ビット照合部１８０６は、受信したパイロットシンボルを硬判定した受信パイロットビットパターンとＰＬパターン生成部１８０７より出力された所定のパイロットビットパターンとをビット照合し、受信パイロットシンボルのエラービット数を算出する。
【０００９】
ＰＬパターン生成部１８０７は、送受信間で予めそのビットパターンが取り決められており既知であるパイロットビットパターンを生成する。
【００１０】
同期判定部１８０８は、エラービット数判定部１８０９、許容ビット数設定部１８１０、前方/後方保護部１８１１、同期判定決定部１８１２を備えている。
【００１１】
エラービット数判定部１８０９は、後述する許容ビット数設定部１８１０より出力された許容ビット数（エラービット数を許容する値）とエラービット数算出部１８０５より出力された受信パイロットシンボルのエラービット数を比較し、エラービット数より許容ビット数が大きいか、小さいかを判定する。
【００１２】
許容ビット数設定部１８１０は、予め設定されている許容ビット数をエラービット数判定部１８０９に出力する。
【００１３】
前方/後方保護部１８１１は、エラービット数判定部１８０９からの判定結果（エラービット数が許容ビット数より大きいか小さいか）に前方保護、後方保護をかけ、前方保護あるいは後方保護をクリアしたか否かを同期判定決定部１８１２に出力するものである。ここで、前方保護とは、「エラービット数が許容ビット数以下」を満たさないものが所定の回数連続して起こらない限り同期はずれと判定しないものである。また、後方保護とは、「エラービット数が許容ビット数以下」を満たすことが所定の回数連続して起こらない限り同期保持と判定しないものである。
【００１４】
同期判定決定部１８１２は、前方/後方保護部１８１１からの前方保護あるいは後方保護をクリアしたか否かの情報をもらい、現在の同期判定状態を変更するか否かを判定し、同期判定結果（同期保持あるいは同期はずれ）を決定する。
【００１５】
このような構成を有する同期判定装置の動作について説明する。同期部１８０１では、受信信号を逆拡散するための同期タイミングが算出され、逆拡散部１８０２−１〜１８０２−Ｎに設定される。受信信号は、逆拡散部１８０２−１〜１８０２−Ｎにおいて、同期部１８０１で設定された同期タイミングで、拡散符号との相関がとられ、相関信号が出力される。逆拡散部１８０２−１〜１８０２−Ｎより出力された相関信号は、同期検波部１８０３−１〜１８０３−Ｎにおいて、各パスで受けたフェージング変動が推定され、その推定値によりフェージング変動が補償（同期検波）される。この同期検波部の動作については後述する。
【００１６】
同期検波部１８０３−１〜１８０３−Ｎより出力されたフェージング変動補償後の各Ｆｉｎｇｅｒの相関信号は、Ｒａｋｅ合成部１８０４において、Ｒａｋｅ合成され、出力される。Ｒａｋｅ合成部１８０４より出力された合成信号は、エラービット数算出部１８０５において、所定のパイロットパターンを用いてＲａｋｅ合成後の受信パイロットシンボルのエラービット数が算出される。
【００１７】
エラービット数算出部１８０５により算出されたエラービット数は、エラービット数判定部１８０９において、許容ビット数設定部１８１０から出力される許容ビット数と比較され、エラービット数が許容ビット数よりも大きいか、小さいかが判定される。前方/後方保護部１８１１では、前記判定結果が雑音による誤判定を防止するため前方/後方保護がかけられ、前方保護あるいは後方保護をクリアしたか否かの結果が同期判定決定部１８１２に出力される。
【００１８】
前方/後方保護部１８１１より出力された情報に基づいて、同期判定決定部１８１２において、現在の同期判定状態を変更するか否かが判定され、同期判定結果（同期保持あるいは同期はずれ）が決定される。
【００１９】
同期検波部１８０３−１〜１８０３−Ｎの動作について図２０を用いて説明する。図２０の左図は、同相成分（Ｉｃｈ）と直交成分（Ｑｃｈ）に分けたＩＱ直交座標系において、送信時のパイロットビット（０または１）と受信パイロットシンボル（伝搬路で受けた位相変動を考慮した軟判定値）が示されている。送信時のパイロットビットは受信側で既知であるので、受信パイロットシンボルの伝搬路で受けた位相変動量が検出できる。この位相変動量を短区間（数スロット以内の区間）で平均化して算出したチャネル推定値を算出し、図２０の右図のように、このチャネル推定値を用いてフェージング変動が補償される。また、チャネル推定値の大きさは各Ｆｉｎｇｅｒの相関信号レベルに比例しており、最大比合成の重みとして各相関信号に乗算される。
【００２０】
このように、Ｆｉｎｇｅｒ毎に同期検波された相関信号をＲａｋｅ合成して、パスダイバーシチ効果を得たＲａｋｅ合成後の受信パイロットシンボルのエラービット数を基に同期判定を行っており、同期判定精度を向上させている。すなわち、Ｆｉｎｇｅｒ割り当てが正しく行われているときは、エラービットは小さく、Ｆｉｎｇｅｒ割り当てが誤って行われているときは、エラービット数は大きくなることに基づいて同期判定を行っている。
【００２１】
【発明が解決しようとする課題】
上述した従来技術における問題点は、同期部のＦｉｎｇｅｒ割り当ての閾値が低く、割当てＦｉｎｇｅｒ数が多い場合、雑音のみが受信されてもＲａｋｅ合成後の受信パイロットシンボルのエラービット数は、真に希望波信号が同期保持された状態でのエラービット数と変わらないほど小さくなり、同期判定結果が本来、同期はずれであるにもかかわらず、同期保持となってしまう誤同期が生じることである。
【００２２】
この誤同期が起こる理由として、下記に示す２つの同期検波の特性が関与していると考えられる。
１）同期検波は、チャネル推定値を算出する短区間内の受信パイロットシンボルが所定のパイロットシンボルパターンに最も近くなるようにチャネル変動量を調節する。つまり、Ｆｉｎｇｅｒ割り当てが正しくても誤っていても、同期検波により受信パイロットシンボルのエラービット数が最も少なくなるようにチャネル変動量が調整される。
２）雑音は長時間でみれば一様分布であるが、短区間(スロット単位)で見ればある程度の偏りを持つ。この偏りが大きいほどチャネル推定値の大きさは大きくなり、同期検波後の相関信号の値も大きくなる。
【００２３】
上記１）、２）のように同期検波した複数のＦｉｎｇｅｒをＲａｋｅ合成すると、たまたま偏りが大きいＦｉｎｇｅｒの影響を受け、Ｒａｋｅ合成後は、より受信パイロットシンボルの誤りが少なくなる方向に作用する。つまり、受信時にエラービット数が同期はずれと判定されるほどの値であっても同期検波やＲａｋｅ合成の際に、エラービット数が減少してしまい、同期はずれと判定されるべき受信信号が同期保持と判定される誤同期が生じる。
【００２４】
ここで、図２１に計算装置シミュレーションで取得した希望波受信信号が全くない雑音のみを受信したときのＦｉｎｇｅｒ毎、Ｒａｋｅ合成後の受信パイロットシンボル系列を示す。図２１は、横軸が時間[パイロットビット単位]で縦軸が相関値の大きさであり、８Ｆｉｎｇｅｒ分の受信パイロットシンボル系列とＲａｋｅ合成後の受信パイロットシンボル系列と既知であるパイロットビットパターンが示されている。図２１を見ると、前記１）、２）の内容や、Ｒａｋｅ合成後の受信パイロットシンボルを硬判定し、所定のパイロットビットパターンとビット照合すると、誤りがかなり少なくなってしまうことがわかる。シミュレーション結果によれば、チャネル推定値算出の平均区間が０．６スロット平均で、Ｆｉｎｇｅｒ数が８のとき、雑音のみを受信した場合の各Ｆｉｎｇｅｒの受信パイロットシンボル誤り率は３３％であり、Ｒａｋｅ合成後受信パイロットシンボルの誤り率は６％と、Ｒａｋｅ合成後の誤り率は、雑音を受信したにもかかわらず非常に小さくなった。この誤り率６％という値は、正確な同期保持状態での誤り率と同等の値であり、許容ビット数を常に下回ってしまい、誤同期となってしまう。
【００２５】
本発明はかかる点に鑑みてなされたものであり、ＤＳ-ＣＤＭＡ無線通信方式を採用した移動通信システムにおいて、雑音に割り当てたＦｉｎｇｅｒ数が多い場合でも、誤同期が起こらず、精度良く正確に同期保持判定を行うことができるＣＤＭＡ同期判定装置を提供することを目的とする。
【００２６】
【課題を解決するための手段】
かかる課題を解決するため本発明のＣＤＭＡ同期判定装置は、通信相手から送信された所定の既知信号に拡散符号を乗算する逆拡散手段と、逆拡散された前記既知信号の位相変動量を補償する同期検波手段と、同期検波された所定の既知信号のエラービット数をＦｉｎｇｅｒ毎に算出するエラービット数算出手段と、Ｆｉｎｇｅｒ毎に算出された前記エラービット数に基づいて同期保持状態か同期はずれ状態かを判定する同期判定手段と、Ｆｉｎｇｅｒ毎に算出された前記エラービット数のうち最小値を選択する最小エラービット数選択手段と、を具備し、前記同期判定手段は、前記最小エラービット数と予め設定された閾値との大小比較を行うエラービット数判定手段を有し、前記エラービット数判定手段の判定結果において所定回数連続して前記最小エラービット数が前記閾値以下である場合に限り、同期保持状態と判定し、前記判定結果において所定回数連続して前記最小エラービット数が前記閾値を越える場合に限り、同期はずれ状態と判定する構成を採る。
【００２７】
この構成によれば、Ｆｉｎｇｅｒ毎に算出されたエラービット数の最小値を用いて同期保持判定を行うため、全てのＦｉｎｇｅｒを雑音に割り当てた場合にも最小値は、Ｆｉｎｇｅｒを正しくパスに割り当てたときにとりうる値ほど小さくなりすぎず、誤同期が起こらなくなり、同期保持判定を精度よく行うことができる。
【００３４】
本発明のＣＤＭＡ同期判定装置は、各Ｆｉｎｇｅｒの希望波電力対干渉波電力比を測定するＳＩＲ測定手段と、前記ＳＩＲ測定手段によって測定された各Ｆｉｎｇｅｒの希望波電力対干渉波電力比が最大値のＦｉｎｇｅｒを選択する最大ＳＩＲ  Ｆｉｎｇｅｒ選択手段とを具備し、同期判定手段が、前記最大ＳＩＲ  Ｆｉｎｇｅｒ選択手段によって選択されたＦｉｎｇｅｒから得られたエラービット数と予め設定された閾値との比較結果において所定回数連続して前記エラービット数が前記閾値以下である場合に限り、同期保持状態と判定し、前記比較結果において所定回数連続して前記最小エラービット数が前記閾値を越える場合に限り、同期はずれ状態と判定する構成を採る。
【００３５】
この構成によれば、Ｒａｋｅ合成前の各Ｆｉｎｇｅｒの希望波電力対干渉波電力比（ＳＩＲ）を算出し、ＳＩＲが最大となるＦｉｎｇｅｒで算出したエラービット数に基づいて同期判定を行うため、雑音に割り当てたＦｉｎｇｅｒが多い場合でも、最もＳＩＲが大きく信頼度が高いＦｉｎｇｅｒからのエラービット数のみを用いるので、Ｆｉｎｇｅｒを正しくパスに割り当てたときにとり得る値ほどにはエラービット数は小さくなりすぎず、誤同期が起こらなくなる。
【００５４】
本発明のＣＤＭＡ同期判定装置は、各Ｆｉｎｇｅｒの信号からＲａｋｅ合成後に相当する希望波電力対干渉波電力比を算出するＳＩＲ算出手段と、前記最小エラービット数と第１の閾値との閾値判定を行い、前記ＳＩＲ算出手段によって算出された希望波電力対干渉波電力比と第２の閾値との閾値判定を行う判定手段と、を具備し、前記同期判定手段が、前記判定手段の結果において前記最小エラービット数が前記第１の閾値以下でありかつ前記希望波電力対干渉波電力比が前記第２の閾値以上を満たすことが所定回数連続して起こる場合に限り、同期保持状態と判定し、前記最小エラービット数が前記第１の閾値以下でありかつ前記希望波電力対干渉波電力比が前記第２の閾値以上を満たさないことが所定回数連続して起こる場合に限り、同期はずれ状態と判定する構成を採る。
【００５５】
この構成によれば、各Ｆｉｎｇｅｒで算出したエラービット数の最小値を使い、同期保持になる条件に、エラービット数が許容ビット数以下に加え、ＳＩＲが閾値以上という条件を追加して同期判定するようにしたため、雑音に割り当てたＦｉｎｇｅｒが多い場合にも、最適な閾値が設定されれば、そのとき測定したＳＩＲが閾値以下となり誤同期が起こらなくなる。また、許容ビット数を大きめに設定すれば、同期保持判定も精度良く行うことができる。
【００６２】
【発明の実施の形態】
以下、本発明の実施の形態について、図面を参照して詳細に説明する。
【００６３】
（実施の形態１）
図１は、本発明の実施の形態１に係るＣＤＭＡ同期判定装置の構成を示すブロック図である。図１において、同期部１０１は、受信信号を逆拡散する同期タイミングを算出し、その同期タイミングを逆拡散部１０２−１〜１０２−Ｎへ出力する。
【００６４】
逆拡散部１０２−１〜１０２−Ｎは、同期部１０１より出力された各々の同期タイミングで受信信号と拡散符号との相関をとり、相関信号を同期検波部１０３−１〜１０３−Ｎに出力する。
【００６５】
同期検波部１０３−１〜１０３−Ｎは、各パスで受けたフェージング変動を推定し、推定値を用いて逆拡散部１０２−１〜１０２−Ｎより出力された逆拡散後の信号のフェージング変動を補償し、補償後の信号をＲａｋｅ合成部１０４とビット照合部１０６−１〜１０６−Ｎに出力する。
【００６６】
Ｒａｋｅ合成部１０４は、同期検波部１０３−１〜１０３−Ｎから出力されたＦｉｎｇｅｒ毎に得られたフェージング変動補償後の相関信号を合成して出力する。
【００６７】
エラービット数算出部１０７−１〜１０７−Ｎは、ＰＬパターン生成部１０５−１〜１０５−Ｎとビット照合部１０６−１〜１０６−Ｎで構成されており、Ｆｉｎｇｅｒ毎に同期検波後の受信パイロットシンボルのエラービット数を算出する。なお、図１ではエラービット数算出部１０７−１〜１０７−Ｎのうち、１０７−１内の構成のみ示した。ＰＬパターン生成部１０５−１〜１０５−Ｎは、送受信間で予めそのビットパターンが取り決められており既知であるパイロットビットパターンを生成し、ビット照合部１０６−１〜１０６−Ｎに出力する。なお、図１においては１０５−１、１０６−１のみ図示し、１０５−２〜Ｎ、１０６−２〜Ｎは省略する。
【００６８】
ビット照合部１０６−１〜１０６−Ｎは、Ｆｉｎｇｅｒ毎に受信パイロットシンボルを硬判定した受信パイロットビットパターンとＰＬパターン生成部１０５−１〜１０５−Ｎから出力された所定のパイロットビットパターンとをビット照合し、受信パイロットシンボルのエラービット数を算出し、最小エラービット数選択部１０８に出力する。
【００６９】
最小エラービット数選択部１０８は、エラービット数算出部１０７−１〜１０７−Ｎから出力されたエラービット数の中の最小値をエラービット数判定部１１０に出力する。
【００７０】
同期判定部１１３は、許容ビット数設定部１０９、エラービット数判定部１１０、前方/後方保護部１１１、同期判定決定部１１２を備えている。
【００７１】
許容ビット数設定部１０９は、予め設定されている許容ビット数をエラービット数判定部１１０に出力する。
【００７２】
エラービット数判定部１１０は、許容ビット数設定部１０９から出力された許容ビット数と最小エラービット数選択部１０８から出力されたエラービット数との大小比較を行い、許容ビット数がエラービット数より大きいか、小さいかの判定結果を前方／後方保護部１１１に出力する。
【００７３】
前方/後方保護部１１１は、エラービット数判定部１１０からの判定結果（エラービット数が許容ビット数より大きいか、小さいか）に前方保護、後方保護をかけ、前方保護あるいは後方保護をクリアしたか否かを同期判定決定部１１２に出力する。ここで述べた前方保護とは、例えば、所定の回数連続してエラービット数が許容ビット数より大きくならない限り同期はずれと判定しないことをいう。また、後方保護とは、例えば、所定の回数連続してエラービット数が許容ビット数より小さくならない限り同期保持と判定しないことをいう。
【００７４】
同期判定決定部１１２は、前方/後方保護部１１１からの前方保護あるいは後方保護をクリアしたか否かの情報を受け、同期判定（同期保持あるいは同期はずれ）を決定する。
【００７５】
このような構成を有する同期判定装置の動作について説明する。同期部１０１では、受信信号を逆拡散する同期タイミングが算出され、同期タイミングが逆拡散部１０２−１〜１０２−Ｎに設定される。逆拡散部１０２−１〜１０２−Ｎでは、同期部１０１において設定された同期タイミングで、受信信号と拡散符号との相関がとられ、相関信号が同期検波部１０３−１〜１０３−Ｎに出力される。逆拡散部１０２−１〜１０２−Ｎより出力された相関信号は、同期検波部１０３−１〜１０３−Ｎにおいて、各パスで受けたフェージング変動が推定され、Ｆｉｎｇｅｒ毎に得られた相関信号がその推定した値により補償され、Ｒａｋｅ合成部１０４とエラービット数算出部１０７−１〜１０７−Ｎに出力される。
【００７６】
同期検波部１０３−１〜１０３−Ｎにより出力されたＦｉｎｇｅｒ毎に得られたフェージング変動補償後の相関信号は、Ｒａｋｅ合成部１０４においてＲａｋｅ合成され、出力される。また、エラービット数算出部１０７−１〜１０７−Ｎにおいて、各Ｆｉｎｇｅｒの受信パイロットシンボルと所定のパイロットビットパターンとがビット照合され、各Ｆｉｎｇｅｒの受信パイロットシンボルのエラービット数が算出される。
【００７７】
最小エラービット数選択部１０８では、エラービット数算出部１０７−１〜１０７−Ｎより出力された各Ｆｉｎｇｅｒのエラービット数の中から最小エラービット数が選択され、最小エラービット数がエラービット数判定部１１０に出力される。最小エラービット数選択部１０８より出力された最小エラービット数は、エラービット数判定部１１０において許容ビット数と大小比較が行われ、最小エラービット数が許容ビット数よりも大きいか小さいかが判定され、前方／後方保護部１１１に出力される。エラービット数判定部１１０により出力された判定結果は、前方/後方保護部１１１において、前方/後方保護がかけられ、同期判定決定部１１２に出力される。これにより、雑音による誤判定が防止される。
【００７８】
同期判定決定部１１２では、前方/後方保護部１１１からの前方保護あるいは後方保護をクリアしたか否かの情報を受け、同期判定（同期保持あるいは同期はずれ）が決定される。
【００７９】
図２は、この実施の形態にかかるパイロット信号の相関値の時間変動を示すグラフである。図２において、縦軸はパイロット信号の相関値の大きさを示し、相関値０を境に上側を正、下側を負で表す。横軸は、パイロットビット単位の時間を示し、１から１８を表している。図中の実線は、既知のパイロットパターンの相関値変動を示しており、例えば、相関値が正であれば１を、負であれば０を表すものとする。
【００８０】
このとき、ある時間において既知パイロットパターンと同じ相関値符号をとれば、ビット誤りはないと言える。ここで、雑音のみを受信した４Ｆｉｎｇｅｒ分の受信パイロットシンボル系列を図２の区間について見てみると、既知のパイロットパターンと比較して受信ＰＬ＿Ｆｉｎｇ＃０のエラービット数は４で最も少ない。このＦｉｎｇｅｒの相関値変動を点線で表した。また、誤り率は２２％であり、正確な同期保持状態の誤り率までは下がらない。したがって、雑音のみを受信したときに生じていた誤同期が起こらなくなる。
【００８１】
このように実施の形態１のＣＤＭＡ同期判定装置１００では、Ｒａｋｅ合成前の各Ｆｉｎｇｅｒで算出したエラービット数の最小数を用いて同期判定するようにした。これにより、Ｒａｋｅ合成後のエラービット数を用いるよりもＲａｋｅ合成前のエラービット数を用いた方が、信頼度が高くなる。このとき、全てのＦｉｎｇｅｒを雑音に割り当てた場合には、各Ｆｉｎｇｅｒで算出したエラービット数の最小数は、Ｆｉｎｇｅｒを正しくパスに割り当てたときにとり得る値ほど小さくなりすぎず、許容ビット数を超えるので誤同期が起こらなくなる。また、正しくパスに割り当てられたＦｉｎｇｅｒが少ない場合でも、各Ｆｉｎｇｅｒで算出したエラービット数の最小数を用いるので、雑音に割り当てたＦｉｎｇｅｒから算出されるエラービット数よりも小さいエラービット数が選択される。すなわち、真に同期保持状態のＦｉｎｇｅｒから得られるエラービット数が選択されるため、同期保持判定を精度良く行うことができる。
【００８２】
（実施の形態２）
図３は、本発明の実施の形態２に係るＣＤＭＡ同期判定装置の構成を示すブロック図である。但し、図３において図１と共通する部分には図１と同一の符号を付し、その詳しい説明を省略する。
【００８３】
図３に示すＣＤＭＡ同期判定装置２００は、実施の形態１の構成要素にＦｉｎｇｅｒ同期判定部２０１−１〜２０１−Ｎと、同期判定検出部２０２を加え、同期判定部１１３を削除した。Ｆｉｎｇｅｒ同期判定部２０１−１〜２０１−Ｎは、実施の形態１の同期判定部１１３と同様に許容ビット数設定部１０９−１〜１０９−Ｎ、エラービット数判定部１１０−１〜１１０−Ｎ、前方／後方保護部１１１−１〜１１１−Ｎ、同期判定決定部１１２−１〜１１２−Ｎを備えている。図３ではＦｉｎｇｅｒ同期判定部２０１−１〜２０１−Ｎのうち、２０１−１内の構成のみ示した。
【００８４】
エラービット数算出部１０７−１〜１０７−Ｎは、Ｆｉｎｇｅｒ毎に同期検波後の受信パイロットシンボルのエラービット数を算出し、Ｆｉｎｇｅｒ同期判定部２０１−１〜２０１−Ｎに出力する。
【００８５】
Ｆｉｎｇｅｒ同期判定部２０１−１〜２０１−Ｎは、エラービット数算出部１０７−１〜１０７−Ｎで算出された各Ｆｉｎｇｅｒの受信パイロットシンボルのエラービット数と許容ビット数の比較結果に前方/後方保護をかけ、Ｆｉｎｇｅｒ毎に同期判定結果を出力する。
【００８６】
同期判定検出部２０２は、Ｆｉｎｇｅｒ同期判定部２０１−１〜２０１−Ｎから出力されるＦｉｎｇｅｒ毎の同期判定結果の中に同期保持が１つでもあれば、最終的に同期保持状態の判定決定を出力する。もし、Ｆｉｎｇｅｒ毎の同期判定結果の中に同期保持が１つもなければ、最終的に同期はずれ状態の判定結果を出力する。
【００８７】
このような構成を有する同期判定装置の動作について説明する。エラービット数算出部１０７−１〜１０７−Ｎより出力されたエラービット数を用いて、Ｆｉｎｇｅｒ同期判定部２０１−１〜２０１−ＮにおいてＦｉｎｇｅｒ毎に同期判定を行い、判定結果を同期判定検出部２０２に出力する。同期判定検出部２０２では、Ｆｉｎｇｅｒ同期判定部２０１−１〜２０１−Ｎより出力されたＦｉｎｇｅｒ毎の同期判定結果の中に１つでも同期保持があれば、最終的に同期保持と決定し、１つもなければ、同期はずれと決定する。
【００８８】
このように実施の形態２のＣＤＭＡ同期判定装置２００では、Ｒａｋｅ合成前の各Ｆｉｎｇｅｒで算出したエラービット数を基にＦｉｎｇｅｒ毎に同期判定を行い、この同期判定結果を基に最終的な同期判定を行うようにした。これにより、Ｒａｋｅ合成後のエラービット数よりもＲａｋｅ合成前のエラービット数を用いた方が、信頼度が高くなる。雑音に割り当てるＦｉｎｇｅｒ数が多い場合にも、同期判定に使うエラービット数は、Ｆｉｎｇｅｒを正しくパスに割り当てたときにとり得る値ほど小さくなりすぎず、許容ビット数を超えるので誤同期が起こらなくなる。さらに、各Ｆｉｎｇｅｒにおいて１つでも同期保持結果がでれば最終的に同期保持と決定するので、同期保持判定も精度良く行うことができる。
【００８９】
（実施の形態３）
図４は、本発明の実施の形態３に係るＣＤＭＡ同期判定装置の構成を示すブロック図である。但し、図４において図１と共通する部分には図１と同一の符号を付し、その詳しい説明を省略する。
【００９０】
図４に示すＣＤＭＡ同期判定装置３００は、実施の形態１の構成要素に同期判定エラービット数選択部３０１と、選択Ｆｉｎｇｅｒ数設定部３０２と、エラービット数平均化部３０３とを加え、最小エラービット数選択部１０８を削除した。
【００９１】
同期判定エラービット数選択部３０１は、エラービット数算出部１０７−１〜１０７−Ｎで算出される各Ｆｉｎｇｅｒのエラービット数の中から、小さい順にＮ個（選択Ｆｉｎｇｅｒ数設定部３０２で設定される個数）のエラービット数を選択し、エラービット数平均化部３０３に出力する。
【００９２】
選択Ｆｉｎｇｅｒ数設定部３０２は、各Ｆｉｎｇｅｒのエラービット数を何Ｆｉｎｇｅｒ分使うかを設定し、設定した個数を同期判定エラービット数選択部３０１に出力する。
【００９３】
エラービット数平均化部３０３は、同期判定エラービット数選択部３０１で選択されたエラービット数の平均値を算出し、同期判定部１１３に出力する。
【００９４】
このような構成を有する同期判定装置の動作について説明する。エラービット数算出部１０７−１〜１０７−Ｎより出力された各Ｆｉｎｇｅｒから得られたエラービット数は、同期判定エラービット数選択部３０１において、選択Ｆｉｎｇｅｒ数設定部３０２で設定されたＮ個が小さい順に選択され、エラービット数平均化部３０３に出力される。同期判定エラービット数選択部３０１より出力されたＮ個のエラービット数は、エラービット数平均化部３０３において平均化され、同期判定部１１３に出力される。同期判定部１１３では、エラービット数平均化部３０３により平均化されたエラービット数と許容ビット数が比較され、比較結果に前方/後方保護がかけられ、雑音による誤判定が防止された後で同期判定結果が出力される。
【００９５】
このように実施の形態３のＣＤＭＡ同期判定装置３００では、Ｒａｋｅ合成前の各Ｆｉｎｇｅｒで算出したエラービット数の小さいものＮ個を平均化した数を基に同期判定を行うようにした。これにより、Ｒａｋｅ合成後のエラービット数を用いるよりもＲａｋｅ合成前のエラービット数を用いた方が、信頼度が高くなる。このとき、雑音に割り当てたＦｉｎｇｅｒが多い場合にも、同期判定に使うエラービット数はＦｉｎｇｅｒを正しくパスに割り当てたときにとり得る値ほど小さくなりすぎず、許容ビット数を超えるので誤同期が起こらなくなる。
【００９６】
またこのとき、あるＦｉｎｇｅｒでまれに発生する偏りのある雑音のために、そのＦｉｎｇｅｒで算出したエラービット数が少なくなってしまった場合でも、複数のＦｉｎｇｅｒからのエラービット数を平均化するので、偏りのある雑音の影響も削減でき誤同期が起こらなくなる。さらに、許容ビット数を最適に設定すれば、同期保持判定も精度良く行うことができる。
【００９７】
（実施の形態４）
図５は、本発明の実施の形態４に係るＣＤＭＡ同期判定装置の構成を示すブロック図である。但し、図５において図１と共通する部分には図１と同一の符号を付し、その詳しい説明を省略する。
【００９８】
図５に示すＣＤＭＡ同期判定装置４００は、実施の形態１の構成要素にＦｉｎｇｅｒ  ＳＩＲ測定部４０１−１〜４０１−Ｎと、最大ＳＩＲ  Ｆｉｎｇｅｒ選択部４０２と、同期判定エラービット数選択部４０３とを加え、最小エラービット数選択部１０８を削除した。
【００９９】
逆拡散部１０２−１〜１０２−Ｎは、同期部１０１より出力された各々の同期タイミングで受信信号と拡散符号との相関をとり、相関信号を同期検波部１０３−１〜１０３−ＮとＦｉｎｇｅｒ  ＳＩＲ測定部４０１−１〜４０１−Ｎに出力する。
【０１００】
Ｆｉｎｇｅｒ  ＳＩＲ測定部４０１−１〜４０１−Ｎは、逆拡散部１０２−１〜１０２−Ｎより出力された逆拡散後の信号に基づいて各ＦｉｎｇｅｒのＳＩＲ(希望波受信電力対干渉波受信電力比)を測定し、測定結果を最大ＳＩＲ  Ｆｉｎｇｅｒ選択部４０２に出力する。
【０１０１】
最大ＳＩＲ  Ｆｉｎｇｅｒ選択部４０２は、Ｆｉｎｇｅｒ  ＳＩＲ測定部４０１−１〜４０１−Ｎで測定された各ＦｉｎｇｅｒのＳＩＲの中で最大となるＳＩＲが測定されたＦｉｎｇｅｒを選択し、そのＦｉｎｇｅｒ番号を同期判定エラービット数選択部４０３に出力する。
【０１０２】
同期判定エラービット数選択部４０３は、エラービット数算出部１０７−１〜１０７−Ｎより出力された各Ｆｉｎｇｅｒのエラービット数の中で、最大ＳＩＲＦｉｎｇｅｒ選択部４０２で選択されたＦｉｎｇｅｒで算出したエラービット数を選択し、同期判定部１１３に出力する。
【０１０３】
このような構成を有する同期判定装置の動作について説明する。逆拡散部１０２−１〜１０２−Ｎより出力された各Ｆｉｎｇｅｒの逆拡散後の信号は、Ｆｉｎｇｅｒ  ＳＩＲ測定部４０１−１〜４０１−ＮにおいてＳＩＲが測定され、測定結果が最大ＳＩＲ  Ｆｉｎｇｅｒ選択部４０２に出力される。各ＦｉｎｇｅｒのＳＩＲの測定方法は例えば、受信パイロットシンボルの象限を合わせ、数シンボル同相加算して雑音を削減した後で電力をＲＳＳＩ（Received Signal Strength Indicator）とし、このＲＳＳＩからのずれの平均値をＩＳＳＩ（Interference Signal Strength Indicator）として算出し、このＲＳＳＩをＩＳＳＩで割ったＲＳＳＩ／ＩＳＳＩを各ＦｉｎｇｅｒのＳＩＲとして算出する。
【０１０４】
Ｆｉｎｇｅｒ  ＳＩＲ測定部４０１−１〜４０１−Ｎより出力されたＳＩＲの測定結果に基づいて、最大ＳＩＲ  Ｆｉｎｇｅｒ選択部４０２において各ＦｉｎｇｅｒのＳＩＲの中で最大となるＦｉｎｇｅｒが選択され、そのＦｉｎｇｅｒの番号が同期判定エラービット数選択部４０３に出力される。
【０１０５】
同期判定エラービット数選択部４０３では、最大ＳＩＲ  Ｆｉｎｇｅｒ選択部４０２で選択されたＳＩＲが最大のＦｉｎｇｅｒで算出したエラービット数が選択され、同期判定部１１３に出力される。
【０１０６】
同期判定部１１３では、同期判定エラービット数選択部４０３より出力されたエラービット数と許容ビット数が比較され、比較結果に前方/後方保護がかけられ、雑音による誤判定が防止された後で同期判定結果が出力される。
【０１０７】
このように実施の形態４のＣＤＭＡ同期判定装置４００では、Ｒａｋｅ合成前の各ＦｉｎｇｅｒのＳＩＲを算出し、ＳＩＲが最大となるＦｉｎｇｅｒで算出したエラービット数を基に同期判定を行うようにした。これにより、雑音に割り当てたＦｉｎｇｅｒが多い場合にも、最もＳＩＲが大きく信頼度が高いＦｉｎｇｅｒからのエラービット数のみを使うので、例えそれが雑音であってもＦｉｎｇｅｒを正しくパスに割り当てたときにとり得る値ほどにはエラービット数は小さくなりすぎず、誤同期が起こらなくなる。また、信頼度が最も高いＦｉｎｇｅｒからのエラービット数を使うので、同期保持判定も精度良く行うことができる。
【０１０８】
（実施の形態５）
図６は、本発明の実施の形態５に係るＣＤＭＡ同期判定装置の構成を示すブロック図である。但し、図６において図１と共通する部分には図１と同一の符号を付し、その詳しい説明を省略する。
【０１０９】
図６に示すＣＤＭＡ同期判定装置５００は、実施の形態１の構成要素にＦｉｎｇｅｒ  ＳＩＲ測定部４０１−１〜４０１−Ｎと、重み係数算出部５０１と、エラービット数平均化部５０２とを加え、最小エラービット数選択部１０８を削除した。
【０１１０】
Ｆｉｎｇｅｒ  ＳＩＲ測定部４０１−１〜４０１−Ｎは、逆拡散部１０２−１〜１０２−Ｎより出力された逆拡散後の信号に基づいて各ＦｉｎｇｅｒのＳＩＲ(希望波受信電力対干渉波受信電力比)を測定し、測定結果を重み係数算出部５０１に出力する。
【０１１１】
重み係数算出部５０１は、Ｆｉｎｇｅｒ  ＳＩＲ測定部４０１−１〜４０１−Ｎより出力された各ＦｉｎｇｅｒのＳＩＲを基に後述するように重み係数を算出し、この重み係数がエラービット数算出部１０７−１〜１０７−Ｎより出力される各Ｆｉｎｇｅｒのエラービット数に乗算され、乗算結果をエラービット数平均化部５０２に出力する。
【０１１２】
エラービット数平均化部５０２は、重み係数乗算後の各Ｆｉｎｇｅｒのエラービット数を平均化し、平均化後のエラービット数を同期判定部１１３に出力する。
【０１１３】
このような構成を有する同期判定装置の動作について説明する。逆拡散部１０２−１〜１０２−Ｎより出力された各Ｆｉｎｇｅｒの逆拡散後の信号は、Ｆｉｎｇｅｒ  ＳＩＲ測定部４０１−１〜４０１−ＮにおいてＳＩＲが測定され、測定結果が重み係数算出部５０１に出力される。重み係数算出部５０１では、各Ｆｉｎｇｅｒで算出されたエラービット数に乗算する重み係数が、Ｆｉｎｇｅｒ毎に測定されたＳＩＲ値が大きいほど重み係数が大きくなるように算出される。例えば、Ｆｉｎｇｅｒ番号Ｉの重み係数をα[Ｉ]、ＳＩＲ値をＳＩＲ[Ｉ]（真値）、Ｆｉｎｇｅｒ数をＮとすると、以下の式（１）のように重み係数を算出する。
0003814519.tif 000002
【０１１４】
そして、このα[I]を各Ｆｉｎｇｅｒで算出したエラービット数に乗算する。
【０１１５】
エラービット数平均化部５０２は、重み係数乗算後のエラービット数を平均した平均エラービット数を算出する。つまり、平均エラービット数をAve_Err、Ｆｉｎｇｅｒ番号Ｉのエラービット数をErr_fiＮg[I]とすると、以下の式（２）のように平均エラービット数を算出する。
0003814519.tif 000003
【０１１６】
エラービット数平均化部５０２から出力された平均エラービット数は、同期判定部１１３において許容ビット数と比較され、比較結果に前方/後方保護がかけられ、雑音による誤判定が防止された後で同期判定結果が出力される。
【０１１７】
このように実施の形態５のＣＤＭＡ同期判定装置５００では、Ｒａｋｅ合成前の各ＦｉｎｇｅｒのＳＩＲを算出し、ＳＩＲ値の大きさに応じて重み係数を算出し、各Ｆｉｎｇｅｒで算出したエラービット数にこの重み係数を乗算する。そして、この重み係数乗算後のエラービット数を平均化した値を基に同期判定を行うようにした。これにより、雑音に割り当てるＦｉｎｇｅｒが多い場合にも、平均化された同期判定に使うエラービット数は、Ｆｉｎｇｅｒを正しくパスに割り当てたときにとり得る値ほど小さくなりすぎず、誤同期が起こらなくなる。また、信頼度が高いＦｉｎｇｅｒからのエラービット数ほど重みが大きい平均エラービット数となるので、同期保持判定も精度良く行うことができる。
【０１１８】
（実施の形態６）
図７は、本発明の実施の形態６に係るＣＤＭＡ同期判定装置の構成を示すブロック図である。但し、図７において図１と共通する部分には図１と同一の符号を付し、その詳しい説明を省略する。
【０１１９】
図７に示すＣＤＭＡ同期判定装置６００は、実施の形態１の構成要素にＳＩＲ算出部６０１と、エラービット数算出部６０２と、ＳＩＲ閾値設定部６０３と、エラービット数選択部６０４とを加えた。
【０１２０】
ＳＩＲ算出部６０１は、逆拡散部１０２−１〜１０２−Ｎより出力された逆拡散後の信号からＲａｋｅ合成後に相当するＳＩＲ値を算出し、エラービット数選択部６０４に出力する。
【０１２１】
エラービット数算出部６０２は、Ｒａｋｅ合成部１０４より出力されたＲａｋｅ合成後の受信パイロットシンボルのエラービット数を算出し、算出したエラービット数をエラービット数選択部６０４に出力する。
【０１２２】
ＳＩＲ閾値設定部６０３は、ＳＩＲの閾値を設定し、エラービット数選択部６０４に出力する。
【０１２３】
エラービット数選択部６０４は、ＳＩＲ算出部６０１により算出されたＳＩＲ値とＳＩＲ閾値設定部６０３で設定された閾値とを比較し、ＳＩＲ値が閾値以上であれば、エラービット数算出部６０２より出力されたＲａｋｅ合成後に算出されたエラービット数を選択し、同期判定部１１３に出力する。一方、ＳＩＲ値が閾値未満であれば、最小エラービット数選択部１０８より出力された各Ｆｉｎｇｅｒで算出したエラービット数の最小値を選択し、同期判定部１１３に出力する。
【０１２４】
このような構成を有する同期判定装置の動作について説明する。ＳＩＲ算出部６０１では、逆拡散部１０２−１〜１０２−Ｎより出力された逆拡散後の信号から、Ｒａｋｅ合成後に相当するＳＩＲ値が算出され、算出されたＳＩＲ値がエラービット数選択部６０４に出力される。例えば、実施の形態４で述べた各ＦｉｎｇｅｒのＲＳＳＩ、ＩＳＳＩを合成しＲａｋｅ合成後に相当するＳＩＲ値を算出する。ＳＩＲ閾値設定部６０３では、例えば、全Ｆｉｎｇｅｒで雑音が選ばれたときのＲａｋｅ合成後に相当するＳＩＲ値と、復調データの誤り率がＢＬＥＲ（Block Error Rate）＝１０-1付近のＲａｋｅ合成後に相当するＳＩＲ値との中間の値が閾値として設定される。エラービット数選択部６０４では、ＳＩＲ算出部６０１により算出されたＳＩＲ値とＳＩＲ閾値設定部６０３より出力された閾値が比較され、ＳＩＲ値が閾値未満であれば全Ｆｉｎｇｅｒの同期タイミングが誤りで全てのＦｉｎｇｅｒ相関信号が雑音である可能性があるとみなし、各Ｆｉｎｇｅｒで算出したエラービット数の最小値が選択される。ＳＩＲ値が閾値以上であれば、全Ｆｉｎｇｅｒの同期タイミングが誤りで全てのＦｉｎｇｅｒ相関信号が雑音である可能性はないとみなし、Ｒａｋｅ合成してパスダイバーシチ効果を得た後で算出したエラービット数が選択される。同期判定部１１３では、エラービット数選択部６０４で選択されたエラービット数と許容ビット数が比較され、比較結果に前方/後方保護がかけられ、雑音による誤判定が防止された後で同期判定結果が出力される。
【０１２５】
このように実施の形態６のＣＤＭＡ同期判定装置６００では、Ｒａｋｅ合成後相当のＳＩＲを使い、ＳＩＲが閾値未満の場合には各Ｆｉｎｇｅｒで算出した最小のエラービット数を使い同期判定を行う。また、ＳＩＲが閾値以上の場合には、Ｒａｋｅ合成後に算出したエラービット数を用いて同期判定を行うようにした。これにより、雑音に割り当てるＦｉｎｇｅｒが多い場合にも、測定したＳＩＲ値が閾値より小さくなりＦｉｎｇｅｒの最小エラービット数が同期判定に使われ、誤同期が起こらなくなる。また、雑音となるＦｉｎｇｅｒが少ない場合にも、測定したＳＩＲ値が閾値より大きくなりＲａｋｅ合成後のＳ／Ｎが向上した信号のエラービット数が同期判定に使われ、同期保持判定も精度良く行うことができる。
【０１２６】
（実施の形態７）
図８は、本発明の実施の形態７に係るＣＤＭＡ同期判定装置の構成を示すブロック図である。但し、図８において図５と共通する部分には図５と同一の符号を付し、その詳しい説明を省略する。
【０１２７】
図８に示すＣＤＭＡ同期判定装置７００は、実施の形態４の構成要素にエラービット数算出部６０２と、Ｆｉｎｇｅｒ選択部７０１と、閾値設定部７０２とを加え、Ｒａｋｅ合成部１０４をＲａｋｅ合成部７０３に変更し、エラービット数算出部１０７−１〜１０７−Ｎと、最大ＳＩＲ  Ｆｉｎｇｅｒ選択部４０２と、同期判定エラービット数選択部４０３とを削除した。
【０１２８】
図８において、Ｆｉｎｇｅｒ選択部７０１は、各ＦｉｎｇｅｒのＳＩＲ値と閾値設定部７０２で設定された閾値を比較し、ＳＩＲ値が閾値以上であるＦｉｎｇｅｒを選択し、そのＦｉｎｇｅｒ番号をＲａｋｅ合成部７０３に出力する。
【０１２９】
閾値設定部７０２は、ＳＩＲの閾値を設定し、Ｆｉｎｇｅｒ選択部７０１に出力する。
【０１３０】
Ｒａｋｅ合成部７０３は、同期検波部１０３−１〜１０３−Ｎより出力された同期検波後の信号のうち、Ｆｉｎｇｅｒ選択部７０１により選択されたＦｉｎｇｅｒのみでＲａｋｅ合成を行い、Ｒａｋｅ合成後の信号をエラービット数算出部６０２に出力する。
【０１３１】
このような構成を有する同期判定装置の動作について説明する。ＦｉｎｇｅｒＳＩＲ測定部４０１−１〜４０１−Ｎより出力された各ＦｉｎｇｅｒのＳＩＲ値は、Ｆｉｎｇｅｒ選択部７０１において、閾値設定部７０２で設定された閾値と比較され、ＳＩＲ値が閾値以上であるＦｉｎｇｅｒが選択され、そのＦｉｎｇｅｒ番号がＲａｋｅ合成部７０３に出力される。閾値設定部７０２では、閾値が設定され、例えば同期タイミングが誤ったＦｉｎｇｅｒで算出されるＳＩＲ＋数ｄＢが予め測定され、閾値として設定される。Ｒａｋｅ合成部７０３ではＦｉｎｇｅｒ選択部７０１で選択されたＦｉｎｇｅｒのみがＲａｋｅ合成されてエラービット数算出部６０２に出力される。もし、全てのＦｉｎｇｅｒが閾値を下回った場合は、ＳＩＲが最も大きいＦｉｎｇｅｒが選択される。エラービット数算出部６０２は、前記Ｒａｋｅ合成後の受信パイロットシンボルのエラービット数が算出され、同期判定部１１３に出力される。同期判定部１１３では、エラービット数算出部６０２により算出されたエラービット数と許容ビット数が比較され、比較結果に前方/後方保護がかけられ、雑音による誤判定が防止された後で同期判定結果が出力される。
【０１３２】
このように実施の形態７のＣＤＭＡ同期判定装置７００では、閾値より小さいＳＩＲ値が測定されたＦｉｎｇｅｒは、雑音であるためＲａｋｅ合成の対象から外し、ＳＩＲが閾値より大きい信頼度が高いＦｉｎｇｅｒから得られた相関信号のみをＲａｋｅ合成し、Ｒａｋｅ合成後のエラービット数を用いて同期判定を行うようにした。これにより、雑音に割り当てたＦｉｎｇｅｒが多い場合にも、雑音となるＦｉｎｇｅｒはＳＩＲが閾値よりも小さくなりＲａｋｅ合成の対象から外されるので、Ｒａｋｅ合成後に算出したエラービット数はＦｉｎｇｅｒを正しくパスに割り当てたときにとり得る値ほど小さくなりすぎず、誤同期が起こらなくなる。また雑音となるＦｉｎｇｅｒが少ない場合にも、Ｒａｋｅ合成後のＳ／Ｎが向上した信号を使い同期判定を行うので同期保持判定も精度良く行うことができる。
【０１３３】
（実施の形態８）
図９は、本発明の実施の形態８に係るＣＤＭＡ同期判定装置の構成を示すブロック図である。但し、図９において図５と共通する部分には図５と同一の符号を付し、その詳しい説明を省略する。
【０１３４】
図９に示すＣＤＭＡ同期判定装置８００は、実施の形態４の構成要素にＦｉｎｇｅｒ選択部８０１と、閾値設定部８０２と、エラービット数平均化部８０３とを加え、最大ＳＩＲ  Ｆｉｎｇｅｒ選択部４０２と、同期判定エラービット数選択部４０３とを削除した。
【０１３５】
図９において、Ｆｉｎｇｅｒ  ＳＩＲ測定部４０１−１〜４０１−Ｎは、逆拡散部１０２−１〜１０２−Ｎより出力された逆拡散後の信号からＦｉｎｇｅｒ毎にＳＩＲ値を測定し、測定結果をＦｉｎｇｅｒ選択部８０１に出力する。
【０１３６】
Ｆｉｎｇｅｒ選択部８０１は、Ｆｉｎｇｅｒ  ＳＩＲ測定部４０１−１〜４０１−Ｎより出力された各ＦｉｎｇｅｒのＳＩＲ値と閾値設定部８０２で設定された閾値を比較し、ＳＩＲ値が閾値以上であるＦｉｎｇｅｒを選択し、そのＦｉｎｇｅｒの番号をエラービット数平均化部８０３に出力する。
【０１３７】
閾値設定部８０２は、ＳＩＲ値の閾値を設定し、Ｆｉｎｇｅｒ選択部８０１へ出力する。
【０１３８】
エラービット数平均化部８０３は、エラービット数算出部１０７−１〜１０７−Ｎより出力されたエラービット数のうち、Ｆｉｎｇｅｒ選択部８０１から出力された番号のＦｉｎｇｅｒから算出されたエラービット数のみを用いて平均化し、平均化したエラービット数を同期判定部１１３に出力する。
【０１３９】
このような構成を有する同期判定装置の動作について説明する。Ｆｉｎｇｅｒ選択部８０１では、各ＦｉｎｇｅｒのＳＩＲ値と閾値設定部８０２で設定された閾値が比較され、ＳＩＲ値が閾値以上であるＦｉｎｇｅｒが選択され、そのＦｉｎｇｅｒの番号がエラービット数平均化部８０３に出力される。閾値設定部８０２では閾値が設定され、例えば同期タイミングが誤ったＦｉｎｇｅｒで算出されるＳＩＲ＋数ｄＢが予め測定され、閾値として設定される。エラービット数平均化部８０３では、エラービット数算出部１０７−１〜１０７−Ｎより出力されたエラービット数のうち、Ｆｉｎｇｅｒ選択部８０１から出力された番号のＦｉｎｇｅｒから算出されたエラービット数のみを用いて平均値が算出され、算出された平均値が同期判定部１１３に出力される。
【０１４０】
このように実施の形態８のＣＤＭＡ同期判定装置８００では、閾値より小さいＳＩＲ値が測定されたＦｉｎｇｅｒは、雑音であるためＲａｋｅ合成の対象から外し、ＳＩＲが閾値より大きいＦｉｎｇｅｒで算出したエラービット数のみを使ってエラービット数を算出し、同期判定を行うようにした。これにより、雑音に割り当てたＦｉｎｇｅｒが多い場合にも、雑音となるＦｉｎｇｅｒはＳＩＲ値が閾値よりも小さくなり平均エラービット数の算出に使わないので、平均エラービット数はＦｉｎｇｅｒを正しくパスに割り当てたときにとり得る値ほど小さくなりすぎず、誤同期が起こらなくなる。また、信頼度が高いＦｉｎｇｅｒからのエラービット数のみを使うので同期保持判定も精度良く行うことができる。
【０１４１】
（実施の形態９）
図１０は、本発明の実施の形態９に係るＣＤＭＡ同期判定装置の構成を示すブロック図である。但し、図１０において図９の各部と共通する部分には図９と同一の符号を付し、その詳しい説明を省略する。
【０１４２】
図１０に示すＣＤＭＡ同期判定装置９００は、実施の形態８の構成要素に閾値計算部９０１を加えた。
【０１４３】
図１０において、Ｆｉｎｇｅｒ  ＳＩＲ測定部４０１−１〜４０１−Ｎは、逆拡散部１０２−１〜１０２−Ｎより出力された逆拡散後の信号から各ＦｉｎｇｅｒのＳＩＲ値を測定し、測定結果をＦｉｎｇｅｒ選択部８０１と閾値計算部９０１に出力する。
【０１４４】
閾値計算部９０１は、Ｆｉｎｇｅｒ  ＳＩＲ測定部４０１−１〜４０１−Ｎより出力された各ＦｉｎｇｅｒのＳＩＲ値の最大値からＸｄＢ引いた値を算出し、閾値設定部８０２に出力する。
【０１４５】
このような構成を有する同期判定装置の動作について説明する。閾値計算部９０１では、同期判定周期毎に各ＦｉｎｇｅｒのＳＩＲの最大値からＸｄＢ引いた値が算出され、閾値設定部８０２に出力される。
【０１４６】
このように実施の形態９のＣＤＭＡ同期判定装置９００では、随時適切な閾値を算出し、ＳＩＲ値が小さく雑音に割り当てたＦｉｎｇｅｒを同期判定の対象から外し、ＳＩＲ値が大きいＦｉｎｇｅｒから算出したエラービット数のみを用いて、同期判定を行うようにした。これにより、同期がはずれて雑音となるＦｉｎｇｅｒ数が多い場合にも、雑音となるＦｉｎｇｅｒはＳＩＲ値が閾値よりも小さくなり平均エラービット数の算出に用いないので、平均エラービット数はＦｉｎｇｅｒを正しくパスに割り当てたときにとり得る値ほど小さくなりすぎず、誤同期が起こらなくなる。また、信頼度が高いＦｉｎｇｅｒからのエラービット数のみを使うので同期保持判定も精度良く行うことができる。また、前記閾値は、現在の伝搬路状態にあった適切な閾値が随時算出できるので、より同期判定の精度が向上する。
【０１４７】
（実施の形態１０）
図１１は、本発明の実施の形態１０に係るＣＤＭＡ同期判定装置の構成を示すブロック図である。但し、図１１において図５と共通する部分には図５と同一の符号を付し、その詳しい説明を省略する。
【０１４８】
図１１に示すＣＤＭＡ同期判定装置１０００は、実施の形態４の構成要素に最大相関値Ｆｉｎｇｅｒ選択部１００２を加え、Ｆｉｎｇｅｒ  ＳＩＲ測定部４０１−１〜４０１−Ｎと、最大ＳＩＲ  Ｆｉｎｇｅｒ選択部４０２とを削除した。また同期部１０１を同期部１００１に変更した。
【０１４９】
同期部１００１は、受信信号を逆拡散する同期タイミングを算出し、その同期タイミングを逆拡散部１０２−１〜１０２−Ｎに出力する。また、同期部１００１は、前記同期タイミングを算出する際に用いる遅延プロファイル（受信信号と拡散符号との拡散タイミング−相関値特性）から、各Ｆｉｎｇｅｒに相当する遅延プロファイル上の相関値を検出し、検出された相関値を最大相関値Ｆｉｎｇｅｒ選択部１００２に出力する。
【０１５０】
最大相関値Ｆｉｎｇｅｒ選択部１００２は、同期部１００１より出力された各Ｆｉｎｇｅｒの相関値の中で最大値となるＦｉｎｇｅｒを選択し、そのＦｉｎｇｅｒの番号を同期判定エラービット数選択部４０３に出力する。
【０１５１】
このような構成を有する同期判定装置の動作について説明する。同期部１００１では同期タイミングを算出する際に用いる遅延プロファイルから相関値が検出され、検出された相関値が最大相関値Ｆｉｎｇｅｒ選択部１００２に出力される。同期判定エラービット数選択部４０３は、最大相関値Ｆｉｎｇｅｒ選択部１００２で選択された遅延プロファイル上の相関値が最大のＦｉｎｇｅｒで算出したエラービット数が選択され、同期判定部１１３に出力される。
【０１５２】
このように実施の形態１０のＣＤＭＡ同期判定装置１０００では、遅延プロファイル上の各Ｆｉｎｇｅｒの相関値が最大となるＦｉｎｇｅｒで算出したエラービット数を基に同期判定を行うようにした。これにより、雑音に割り当てたＦｉｎｇｅｒ数が多い場合にも、最も遅延プロファイル上の相関値が大きい、信頼度が高いＦｉｎｇｅｒからのエラービット数のみを使うので、例えそれが雑音であってもエラービット数はＦｉｎｇｅｒを正しくパスに割り当てたときにとり得る値ほどには小さくなりすぎず、誤同期が起こらなくなる。また、信頼度が最も高いＦｉｎｇｅｒからのエラービット数を使うので、同期保持判定も精度良く行うことができる。
【０１５３】
なお、本実施の形態では、同期部で算出した遅延プロファイル上の相関値を実施の形態４の各Ｆｉｎｇｅｒから算出したＳＩＲ値と同様に用いており、実施の形態５、実施の形態７、実施の形態８でも同様に、各ＦｉｎｇｅｒのＳＩＲ値の代わりに遅延プロファイル上の相関値を用いても良い。
【０１５４】
（実施の形態１１）
図１２は、本発明の実施の形態１１に係るＣＤＭＡ同期判定装置の構成を示すブロック図である。但し、図１２において図５と共通する部分には図５と同一の符号を付し、その詳しい説明を省略する。
【０１５５】
図１２に示すＣＤＭＡ同期判定装置１１００は、実施の形態４の構成要素にＦｉｎｇｅｒ相関値レベル測定部１１０１−１〜１１０１−Ｎと、最大相関値Ｆｉｎｇｅｒ選択部１１０２とを加え、Ｆｉｎｇｅｒ  ＳＩＲ測定部４０１−１〜４０１−Ｎと、最大ＳＩＲ  Ｆｉｎｇｅｒ選択部４０２を削除した。
【０１５６】
逆拡散部１０２−１〜１０２−Ｎは、同期部１０１から出力される同期タイミングで受信信号と拡散符号との相関をとり、相関信号を同期検波部１０３−１〜１０３−ＮとＦｉｎｇｅｒ相関値レベル測定部１１０１−１〜１１０１−Ｎに出力する。
【０１５７】
Ｆｉｎｇｅｒ相関値レベル測定部１１０１−１〜１１０１−Ｎは、逆拡散部１０２−１〜１０２−Ｎより出力された逆拡散後の信号から各Ｆｉｎｇｅｒの希望波受信レベルを測定し、測定結果を最大相関値Ｆｉｎｇｅｒ選択部１１０２に出力する。
【０１５８】
最大相関値Ｆｉｎｇｅｒ選択部１１０２は、Ｆｉｎｇｅｒ相関値レベル測定部１１０１−１〜１１０１−Ｎより出力された各Ｆｉｎｇｅｒの希望波受信レベルの中で最大値となるＦｉｎｇｅｒを選択し、そのＦｉｎｇｅｒの番号を同期判定エラービット数選択部４０３に出力する。
【０１５９】
このような構成を有する同期判定装置の動作について説明する。Ｆｉｎｇｅｒ相関値レベル測定部１１０１−１〜１１０１−Ｎは、各Ｆｉｎｇｅｒの希望波受信レベルを測定する。希望波受信レベルとは、例えば、受信パイロットシンボルの象限を合わせ、数Ｓｙｍｂｏｌ同相加算して雑音を削減した後のレベルである。同期判定エラービット数選択部４０３は、最大相関値Ｆｉｎｇｅｒ選択部１１０２で選択された希望波受信レベルが最大のＦｉｎｇｅｒで算出したエラービット数を選択し、同期判定部１１３に出力する。
【０１６０】
同期判定部１１３では、同期判定エラービット数選択部４０３から出力されたエラービット数と許容ビット数が比較され、比較結果に前方/後方保護がかけられ、雑音による誤判定が防止された後で同期判定結果が出力される。
【０１６１】
このように実施の形態１１のＣＤＭＡ同期判定装置１１００では、希望波受信レベルが最大となるＦｉｎｇｅｒで算出したエラービット数を基に同期判定を行うようにした。これにより、雑音に割り当てたＦｉｎｇｅｒが多い場合にも、最も希望波受信レベルが大きい、信頼度が高いＦｉｎｇｅｒからのエラービット数のみを使うので、例えそれが雑音であってもＦｉｎｇｅｒを正しくパスに割り当てたときにとり得る値ほどにはエラービット数は小さくなりすぎず、誤同期が起こらなくなる。また、信頼度が高いＦｉｎｇｅｒからのエラービット数を使うので同期保持判定も精度良く行うことができる。
【０１６２】
なお、上記実施の形態１１では、各Ｆｉｎｇｅｒの希望波受信レベルを実施の形態４の各ＦｉｎｇｅｒのＳＩＲと同様に用いたが、実施の形態５、実施の形態７、実施の形態８でも同様に、各ＦｉｎｇｅｒのＳＩＲの代わりに各Ｆｉｎｇｅｒの希望波受信レベルを用いても良い。
【０１６３】
（実施の形態１２）
図１３は、本発明の実施の形態１２に係るＣＤＭＡ同期判定装置の構成を示すブロック図である。但し、図１３において図１と共通する部分には図１と同一の符号を付し、その詳しい説明を省略する。
【０１６４】
図１３に示すＣＤＭＡ同期判定装置１２００は、実施の形態１の構成要素にエラービット数区間平均部１２０１−１〜１２０１−Ｎと、最小平均エラービット数選択部１２０２とを加え、最小エラービット数選択部１０８を削除した。
【０１６５】
エラービット数算出部１０７−１〜１０７−Ｎは、Ｆｉｎｇｅｒ毎に同期検波後の受信パイロットシンボルのエラービット数を算出する。
【０１６６】
エラービット数区間平均部１２０１−１〜１２０１−Ｎは、エラービット数算出部１０７−１〜１０７−Ｎで同期判定周期毎に出力された各Ｆｉｎｇｅｒのエラービット数をある区間幅で平均化し、その平均エラービット数を最小平均エラービット数選択部１２０２に出力する。
【０１６７】
最小平均エラービット数選択部１２０２は、エラービット数区間平均部１２０２−１〜１２０２−Ｎで算出された各Ｆｉｎｇｅｒの平均エラービット数の中で最小となる平均エラービット数を算出し、同期判定部１１３に出力する。
【０１６８】
このような構成を有する同期判定装置の動作について説明する。エラービット数区間平均部１２０１−１〜１２０１−Ｎでは、エラービット数算出部１０７−１〜１０７−Ｎで同期判定周期毎に出力された各Ｆｉｎｇｅｒのエラービット数がある区間幅で平均化され、その平均エラービット数が最小平均エラービット数選択部１２０２に出力される。最小平均エラービット数選択部１２０２では、この各Ｆｉｎｇｅｒから算出された平均エラービット数の最小値が求められ、その最小値が同期判定部１１３に出力される。同期判定部１１３では、最小平均エラービット数選択部１２０２より出力された平均エラービット数の最小値と許容ビット数が比較され、比較結果に前方/後方保護がかけられ、雑音による誤判定が防止された後で同期判定結果が出力される。
【０１６９】
このように実施の形態１２のＣＤＭＡ同期判定装置１２００では、各Ｆｉｎｇｅｒで算出したエラービット数をある区間幅で平均化した平均エラービット数の最小値を基に同期判定を行うようにした。これにより、雑音に割り当てたＦｉｎｇｅｒが多い場合にも、各Ｆｉｎｇｅｒで算出したエラービット数の最小値は真の同期保持状態のときにとり得る値ほどには小さくなりすぎず、許容ビット数を超えるので誤同期が起こらなくなる。また、平均化したエラービット数を用いることで雑音の影響を削減し、同期保持判定も精度良く行うことができる。
【０１７０】
（実施の形態１３）
図１４は、本発明の実施の形態１３に係るＣＤＭＡ同期判定装置の構成を示すブロック図である。但し、図１４において図１３と共通する部分には図１３と同一の符号を付し、その詳しい説明を省略する。
【０１７１】
図１４に示すＣＤＭＡ同期判定装置１３００は、実施の形態１２の構成要素にエラービット数算出部６０２と、最小エラービット数Ｆｉｎｇｅｒ選択部１３０１と、最小平均エラービット数Ｆｉｎｇｅｒ選択部１３０２とを加え、最小平均エラービット数選択部１２０２を削除し、Ｒａｋｅ合成部１０４をＲａｋｅ合成部１３０３に変更した。
【０１７２】
エラービット数区間平均部１２０１−１〜１２０１−Ｎは、エラービット数算出部１０７−１〜１０７−Ｎで同期判定周期毎に出力された各Ｆｉｎｇｅｒのエラービット数をある区間幅で平均化し、その平均エラービット数を最小平均エラービット数Ｆｉｎｇｅｒ選択部１３０２に出力する。
【０１７３】
最小エラービット数Ｆｉｎｇｅｒ選択部１３０１は、エラービット数算出部１０７−１〜１０７−Ｎより出力されたエラービット数が最小となるＦｉｎｇｅｒを選択し、そのＦｉｎｇｅｒの番号をＲａｋｅ合成部１３０３に出力する。
【０１７４】
最小平均エラービット数Ｆｉｎｇｅｒ選択部１３０２は、エラービット数区間平均部１２０１−１〜１２０１−Ｎより出力された平均エラービット数が最小となるＦｉｎｇｅｒを選択し、そのＦｉｎｇｅｒの番号をＲａｋｅ合成部１３０３に出力する。
【０１７５】
Ｒａｋｅ合成部１３０３は、最小エラービット数Ｆｉｎｇｅｒ選択部１３０１と最小平均エラービット数Ｆｉｎｇｅｒ選択部１３０２より出力されたＦｉｎｇｅｒのみを用いてＲａｋｅ合成を行い、合成信号をエラービット数算出部６０２に出力する。
【０１７６】
このような構成を有する同期判定装置の動作について説明する。最小エラービット数Ｆｉｎｇｅｒ選択部１３０１では、エラービット数区間平均部１２０１−１〜１２０１−Ｎより出力された平均エラービット数が最小となるＦｉｎｇｅｒが選択され、そのＦｉｎｇｅｒ番号がＲａｋｅ合成部１３０３に出力される。最小平均エラービット数Ｆｉｎｇｅｒ選択部１３０２では、エラービット数算出部１０７−１〜１０７−Ｎより出力されたエラービット数が最小となるＦｉｎｇｅｒが選択され、そのＦｉｎｇｅｒの番号がＲａｋｅ合成部１３０３に出力される。Ｒａｋｅ合成部１３０３では、最小エラービット数Ｆｉｎｇｅｒ選択部１３０１と最小平均エラービット数Ｆｉｎｇｅｒ選択部１３０２より出力されたＦｉｎｇｅｒのみを用いてＲａｋｅ合成が行われる。エラービット数算出部６０２では、このＲａｋｅ合成後のエラービット数が算出され、同期判定部１１３に出力される。同期判定部１１３では、エラービット数算出部６０２より出力されたＲａｋｅ合成後のエラービット数と許容ビット数が比較され、比較結果に前方/後方保護がかけられ、雑音による誤判定が防止された後で同期判定結果が出力される。
【０１７７】
このように実施の形態１３のＣＤＭＡ同期判定装置１３００では、各Ｆｉｎｇｅｒで算出したエラービット数が最小となるＦｉｎｇｅｒと、各Ｆｉｎｇｅｒで算出したエラービット数をある区間幅で平均化した平均エラービット数が最小となるＦｉｎｇｅｒのみを用いてＲａｋｅ合成を行い、Ｒａｋｅ合成後に算出したエラービット数を基に同期判定を行うようにした。これにより、雑音に割り当てたＦｉｎｇｅｒが多い場合にも、雑音となるＦｉｎｇｅｒを除いてＲａｋｅ合成し、その後にエラービット数を算出するので、算出されたエラービット数は小さくなりすぎず、誤同期が起こらなくなる。また、平均化したエラービット数を用いることで雑音の影響を削減し、同期保持判定も精度良く行うことができる。また、平均化しないエラービット数が最小となるＦｉｎｇｅｒもＲａｋｅ合成に用いるので、パスの消滅・誕生にもすばやく追従し、精度よく同期判定ができる。
【０１７８】
（実施の形態１４）
図１５は、本発明の実施の形態１４に係るＣＤＭＡ同期判定装置の構成を示すブロック図である。但し、図１５において図１と共通する部分には図１と同一の符号を付し、その詳しい説明を省略する。
【０１７９】
図１５に示すＣＤＭＡ同期判定装置１４００は、実施の形態１の構成要素にＳＩＲ算出部６０１と、ＳＩＲ閾値設定部１４０１とを加え、エラービット数判定部１１０を備えた同期判定部１１３をエラービット数＆ＳＩＲ判定部１４０２を備えた同期判定部１４０３に変更した。
【０１８０】
ＳＩＲ算出部６０１は、逆拡散部１０２−１〜１０２−Ｎより出力された逆拡散後の信号からＲａｋｅ合成後に相当するＳＩＲ値を算出し、エラービット数＆ＳＩＲ判定部１４０２に出力する。
【０１８１】
ＳＩＲ閾値設定部１４０１は、ＳＩＲの閾値を設定し、エラービット数＆ＳＩＲ判定部１４０２に出力する。
【０１８２】
エラービット数＆ＳＩＲ判定部１４０２は、ＳＩＲ算出部６０１より出力されたＳＩＲとＳＩＲ閾値設定部１４０１より出力された閾値を比較する。また、最小エラービット数選択部１０８より出力されたエラービット数と許容ビット数設定部１０９より出力された許容ビット数を比較する。これらの比較結果から、「エラービット数が許容ビット数以下かつＳＩＲが閾値以上」という条件を満たすか否かを前方/後方保護部１１１に出力する。
【０１８３】
同期判定部１４０３は、エラービット数＆ＳＩＲ判定部１４０２、許容ビット数設定部１０９、前方/後方保護部１１１、同期判定決定部１１２を備えている。
【０１８４】
このような構成を有する同期判定装置の動作について説明する。エラービット数＆ＳＩＲ判定部１４０２では、ＳＩＲ算出部６０１より出力されたＳＩＲとＳＩＲ閾値設定部１４０１より出力された閾値が比較される。また、最小エラービット数選択部１０８から出力されるエラービット数と許容ビット数設定部１０９から出力される許容ビット数が比較される。これらの比較結果から、「エラービット数が許容ビット以下かつＳＩＲが閾値以上」という条件を満たすか満たさないかが前方/後方保護部１１１に出力される。ここでＳＩＲ閾値設定部１４０１から設定される閾値は、逆拡散後の相関信号が雑音となるＦｉｎｇｅｒが多い場合に測定したＳＩＲより数ｄＢ大きい値を設定しておく。前方/後方保護部１１１では、エラービット数＆ＳＩＲ判定部１４０２より出力された判定結果に、前方保護、後方保護がかけられ、前方保護あるいは後方保護をクリアした否かの結果が同期判定決定部１１２に出力される。ここで述べた前方保護とは、「エラービット数が許容ビット数以下かつＳＩＲが閾値以上」を満たさないものが所定の回数連続して起こらない限り同期はずれと判定しないものである。また、後方保護とは、「エラービット数が許容ビット数以下かつＳＩＲが閾値以上」を満たすことが所定の回数連続して起こらない限り同期保持と判定しないものである。同期判定決定部１１２では、前方/後方保護部１１１からの前方保護あるいは後方保護をクリアした否かの情報をもらい、現在の同期判定状態を変更するかが判定され、同期判定結果（同期保持あるいは同期はずれ）が決定される。
【０１８５】
このように実施の形態１４のＣＤＭＡ同期判定装置１４００では、各Ｆｉｎｇｅｒで算出したエラービット数の最小値を使い、同期保持になる条件に、エラービット数が許容ビット数以下に加え、ＳＩＲが閾値以上という条件を追加して同期判定するようにした。これにより、雑音に割り当てたＦｉｎｇｅｒが多い場合にも、最適な閾値が設定されれば、そのとき測定したＳＩＲが閾値以下となり誤同期が起こらなくなる。また、許容ビット数を大きめに設定すれば、同期保持判定も精度良く行うことができる。
【０１８６】
（実施の形態１５）
図１６は、本発明の実施の形態１５に係るＣＤＭＡ同期判定装置の構成を示すブロック図である。但し、図１６において図７と共通する部分には図７と同一の符号を付し、その詳しい説明を省略する。
【０１８７】
図１６に示すＣＤＭＡ同期判定装置１５００は、実施の形態６の構成要素であるＳＩＲ閾値設定部６０３をＳＩＲ閾値設定部１５０１に変更し、またエラービット数判定部１１０を備えた同期判定部１１３をエラービット数＆ＳＩＲ判定部１５０２を備えた同期判定部１５０３に変更した。さらにエラービット数算出部１０７−１〜１０７−Ｎと、最小エラービット数選択部１０８と、エラービット数選択部６０４とを削除した。
【０１８８】
ＳＩＲ閾値設定部１５０１は、ＳＩＲの閾値を設定し、エラービット数＆ＳＩＲ判定部１５０２に出力する。
【０１８９】
エラービット数＆ＳＩＲ判定部１５０２は、ＳＩＲ算出部６０１より出力されたＳＩＲとＳＩＲ閾値設定部１５０１より出力された閾値を比較する。また、エラービット数算出部６０２より出力されたエラービット数と許容ビット数設定部１０９より出力された許容ビット数を比較する。これらの比較結果から、「エラービット数が許容ビット数以下かつＳＩＲが閾値以上」という条件を満たすか満たさないかを前方/後方保護部１１１に出力する。
【０１９０】
同期判定部１５０３は、エラービット数＆ＳＩＲ判定部１５０２、許容ビット数設定部１０９、前方/後方保護部１１１、同期判定決定部１１２を備えている。
【０１９１】
このような構成を有する同期判定装置の動作について説明する。エラービット数＆ＳＩＲ判定部１５０２では、ＳＩＲ算出部６０１より出力されたＳＩＲとＳＩＲ閾値設定部１５０１より出力された閾値が比較される。また、エラービット数算出部６０２より出力されたエラービット数と許容ビット数設定部１０９より出力された許容ビット数が比較される。これらの比較結果から、「エラービット数が許容ビット数以下かつＳＩＲが閾値以上」という条件を満たすか満たさないかが前方/後方保護部１１１に出力される。ここでＳＩＲ閾値設定部１５０１から設定される閾値は、逆拡散後の相関信号が雑音となるＦｉｎｇｅｒが多い場合に測定したＳＩＲより数ｄＢ大きい値を設定しておく。前方/後方保護部１１１では、エラービット数＆ＳＩＲ判定部１５０２より出力された判定結果に、前方保護、後方保護がかけられ、前方保護あるいは後方保護をクリアしたか否かの結果が同期判定決定部１１２に出力される。ここで述べた前方保護とは、「エラービット数が許容ビット数以下かつＳＩＲが閾値以上」を満たさないものが所定の回数連続して起こらない限り同期はずれと判定しないものである。また、後方保護とは、「エラービット数が許容ビット数以下かつＳＩＲが閾値以上」を満たすことが所定の回数連続して起こらない限り同期保持と判定しないものである。同期判定決定部１１２では、前方/後方保護部１１１からの前方保護あるいは後方保護をクリアしたか否かの情報をもらい、現在の同期判定状態を変更するかが判定され、同期判定結果（同期保持あるいは同期はずれ）が決定される。
【０１９２】
このように実施の形態１５のＣＤＭＡ同期判定装置１５００では、Ｒａｋｅ合成後で算出したエラービット数を使い、同期保持になる条件として「エラービット数が許容ビット数以下」に加え、「ＳＩＲが閾値以上」という条件を追加して同期判定するようにした。これにより、雑音に割り当てたＦｉｎｇｅｒが多い場合にも、最適な閾値が設定されれば、そのとき測定したＳＩＲが閾値以下となり誤同期が起こらなくなる。また、Ｒａｋｅ合成後のＳ／Ｎが向上した信号を用いて同期判定を行うので、同期保持判定も精度良く行うことができる。
【０１９３】
（実施の形態１６）
図１７は、本発明の実施の形態１６に係るＣＤＭＡ同期判定装置の構成を示すブロック図である。但し、図１７において図２と共通する部分には図２と同一の符号を付し、その詳しい説明を省略する。
【０１９４】
図１７に示すＣＤＭＡ同期判定装置１６００は、実施の形態２の構成要素に乗算部１６０２−１〜１６０２−Ｎを加え、Ｆｉｎｇｅｒ同期判定部２０１−１〜２０１−ＮをＦｉｎｇｅｒ同期判定部１６０１−１〜１６０１−Ｎに変更し、同期検出部２０２を削除した。
【０１９５】
エラービット数算出部１０７−１〜１０７−Ｎは、Ｆｉｎｇｅｒ毎に同期検波後の受信パイロットシンボルのエラービット数を算出し、Ｆｉｎｇｅｒ同期判定部１６０１−１〜１６０１−Ｎに出力する。
【０１９６】
Ｆｉｎｇｅｒ同期判定部１６０１−１〜１６０１−Ｎは、エラービット数算出部１０７−１〜１０７−Ｎより出力されたエラービット数をもとにＦｉｎｇｅｒの同期状態を判定し、Ｆｉｎｇｅｒの同期判定結果を乗算部１６０２−１〜１６０２−Ｎに出力する。ただし、Ｆｉｎｇｅｒの同期判定結果は、同期保持であれば１とし、同期はずれであれば０とする。
【０１９７】
乗算部１６０２−１〜１６０２−Ｎは、Ｆｉｎｇｅｒ同期判定部１６０１−１〜１６０１−Ｎより出力されたＦｉｎｇｅｒの同期判定結果と同期検波部１０３−１〜１０３−Ｎより出力された同期検波後の相関信号を乗算し、乗算結果をＲａｋｅ合成部１０４に出力する。
【０１９８】
このような構成を有する同期判定装置の動作について説明する。エラービット数算出部１０７−１〜１０７−Ｎより出力された信号は、Ｆｉｎｇｅｒ同期判定部１６０１−１〜１６０１−Ｎにおいて、各Ｆｉｎｇｅｒの同期状態が判定され、同期保持であれば１が、同期はずれであれば０が乗算部１６０２−１〜１６０２−Ｎに出力される。
【０１９９】
乗算部１６０２−１〜１６０２−Ｎでは、同期検波後の相関信号とＦｉｎｇｅｒ同期判定部１６０１−１〜１６０１−Ｎより出力された同期判定結果を示す１または０が乗算され、乗算結果がＲａｋｅ合成部１０４に出力される。これは、同期はずれのＦｉｎｇｅｒからの相関信号は０となってＲａｋｅ合成部１０４に出力される。
【０２００】
このように実施の形態１６のＣＤＭＡ同期判定装置１６００では、各Ｆｉｎｇｅｒで算出したエラービット数を基に同期判定を行い、同期はずれのＦｉｎｇｅｒから得られる相関信号はＲａｋｅ合成しないようにした。Ｒａｋｅ合成前に算出したエラービット数を用いてＦｉｎｇｅｒの同期判定を行っているため、精度の高い同期判定を行うことができ、同期はずれとなるＦｉｎｇｅｒから得られる相関信号はＲａｋｅ合成しないためＲａｋｅ合成後の相関信号の品質が向上する。
【０２０１】
（実施の形態１７）
図１８は、本発明の実施の形態１７に係るＣＤＭＡ同期判定装置の構成を示すブロック図である。但し、図１８において図２と共通する部分には図２と同一の符号を付し、その詳しい説明を省略する。
【０２０２】
図１８に示すＣＤＭＡ同期判定装置１７００は、実施の形態２の構成要素である同期部１０１内にＦｉｎｇｅｒ設定部１７０１を加え、Ｆｉｎｇｅｒ同期判定部２０１−１〜２０１−ＮをＦｉｎｇｅｒ同期判定部１６０１−１〜１６０１−Ｎに変更し、同期判定検出部２０２を削除した。
【０２０３】
Ｆｉｎｇｅｒ同期判定部１６０１−１〜１６０１−Ｎは、エラービット数算出部１０７−１〜１０７−Ｎより出力されたエラービット数をもとにＦｉｎｇｅｒの同期状態を判定し、Ｆｉｎｇｅｒの同期判定結果をＦｉｎｇｅｒ設定部１７０１に出力する。
【０２０４】
Ｆｉｎｇｅｒ設定部１７０１は、Ｆｉｎｇｅｒ同期判定部１６０１−１〜１６０１−Ｎより出力された各Ｆｉｎｇｅｒの同期判定結果に応じて、逆拡散タイミングを設定するＦｉｎｇｅｒを選択する。
【０２０５】
このような構成を有する同期判定装置の動作について説明する。Ｆｉｎｇｅｒ同期判定部１６０１−１〜１６０１−Ｎより出力された同期判定結果を示す１または０がＦｉｎｇｅｒ設定部１７０１に出力される。
【０２０６】
Ｆｉｎｇｅｒ設定部１７０１では、Ｆｉｎｇｅｒ同期判定部１６０１−１〜１６０１−Ｎより出力された同期判定結果が同期保持を示す１であれば該当するＦｉｎｇｅｒに逆拡散タイミングを設定し、同期はずれを示す２であれば該当するＦｉｎｇｅｒには逆拡散タイミングを設定しない。これにより、同期はずれと判定されたＦｉｎｇｅｒは逆拡散を行うことができず、同期保持と判定されたＦｉｎｇｅｒから得られる相関信号のみがＲａｋｅ合成される。
【０２０７】
このように実施の形態１７のＣＤＭＡ同期判定装置１７００では、各Ｆｉｎｇｅｒで算出したエラービット数を基に同期判定を行い、同期はずれのＦｉｎｇｅｒには逆拡散タイミングを設定しないようにした。これにより、Ｒａｋｅ合成前に算出したエラービット数を用いてＦｉｎｇｅｒの同期判定を行っているため、精度の高い同期判定を行うことができ、同期はずれとなるＦｉｎｇｅｒには逆拡散タイミングを設定しないことから、同期保持となるＦｉｎｇｅｒから得られる相関信号のみＲａｋｅ合成することになり、Ｒａｋｅ合成後の相関信号の品質が向上する。
【０２０８】
なお、本実施の形態として、上記実施の形態１〜１７のいずれかに記載のＣＤＭＡ同期判定装置を具備することを特徴とする移動局装置でも同様の効果が得られる。
【０２０９】
なお、本実施の形態として、上記実施の形態１〜１７のいずれかに記載のＣＤＭＡ同期判定装置を具備することを特徴とする基地局装置でも同様の効果が得られる。
【０２１０】
なお、本実施の形態として、上記実施の形態１〜１７のいずれかに記載のＣＤＭＡ同期判定装置を具備することを特徴とするシステムでも同様の効果が得られる。
【０２１１】
【発明の効果】
以上説明したように、本発明によれば、同期がはずれて雑音となるＦｉｎｇｅｒが多い場合にも、誤同期が起こらず、精度良く同期判定を行うことができる。
【図面の簡単な説明】
【図１】本発明の実施の形態１に係るＣＤＭＡ同期判定装置の構成を示すブロック図
【図２】本発明の実施の形態１に係る雑音のみを受信したときの受信パイロット信号の相関値変動を示すグラフ
【図３】本発明の実施の形態２に係るＣＤＭＡ同期判定装置の構成を示すブロック図
【図４】本発明の実施の形態３に係るＣＤＭＡ同期判定装置の構成を示すブロック図
【図５】本発明の実施の形態４に係るＣＤＭＡ同期判定装置の構成を示すブロック図
【図６】本発明の実施の形態５に係るＣＤＭＡ同期判定装置の構成を示すブロック図
【図７】本発明の実施の形態６に係るＣＤＭＡ同期判定装置の構成を示すブロック図
【図８】本発明の実施の形態７に係るＣＤＭＡ同期判定装置の構成を示すブロック図
【図９】本発明の実施の形態８に係るＣＤＭＡ同期判定装置の構成を示すブロック図
【図１０】本発明の実施の形態９に係るＣＤＭＡ同期判定装置の構成を示すブロック図
【図１１】本発明の実施の形態１０に係るＣＤＭＡ同期判定装置の構成を示すブロック図
【図１２】本発明の実施の形態１１に係るＣＤＭＡ同期判定装置の構成を示すブロック図
【図１３】本発明の実施の形態１２に係るＣＤＭＡ同期判定装置の構成を示すブロック図
【図１４】本発明の実施の形態１３に係るＣＤＭＡ同期判定装置の構成を示すブロック図
【図１５】本発明の実施の形態１４に係るＣＤＭＡ同期判定装置の構成を示すブロック図
【図１６】本発明の実施の形態１５に係るＣＤＭＡ同期判定装置の構成を示すブロック図
【図１７】本発明の実施の形態１６に係るＣＤＭＡ同期判定装置の構成を示すブロック図
【図１８】本発明の実施の形態１７に係るＣＤＭＡ同期判定装置の構成を示すブロック図
【図１９】従来のＣＤＭＡ同期判定装置の構成を示すブロック図
【図２０】同期検波の動作説明図
【図２１】従来において雑音のみを受信したときの受信パイロット信号の相関値変動を示すグラフ
【符号の説明】
１００、２００、３００、４００、５００、６００、７００、８００、９００、１０００、１１００、１２００、１３００、１４００、１５００  ＣＤＭＡ同期判定装置
１０１、１００１、  同期部
１０２−１〜１０２−Ｎ、  逆拡散部
１０３−１〜１０３−Ｎ、  同期検波部
１０４、７０３、１３０３  Ｒａｋｅ合成部
１０５−１〜１０５−Ｎ  ＰＬパターン生成部
１０６−１〜１０６−Ｎ  ビット照合部
１０７−１〜１０７−Ｎ、６０２  エラービット数算出部
１０８、  最小エラービット数選択部
１０９、１０９−１〜１０９−Ｎ  許容ビット数設定部
１１０、１１０−１〜１１０−Ｎ  エラービット数判定部
１１１、１１１−１〜１１１−Ｎ  前方/後方保護部
１１２、１１２−１〜１１２−Ｎ  同期判定決定部
１１３、１４０３、１５０３  同期判定部
２０１−１〜２０１−Ｎ、１６０１−１〜１６０１−Ｎ  Ｆｉｎｇｅｒ同期判定部
２０２  同期判定検出部
３０１、４０３  同期判定エラービット数選択部
３０２  選択Ｆｉｎｇｅｒ数設定部
３０３、５０２、８０３  エラービット数平均化部
４０１−１〜４０１−Ｎ  Ｆｉｎｇｅｒ  ＳＩＲ測定部
４０２  最大ＳＩＲ  Ｆｉｎｇｅｒ選択部
５０１  重み係数算出部
６０１  ＳＩＲ算出部
６０３、１４０１、１５０１  ＳＩＲ閾値設定部
６０４  エラービット数選択部
７０１、８０１  Ｆｉｎｇｅｒ選択部
７０２、８０２  閾値設定部
９０１  閾値計算部
１００２、１１０２  最大相関値Ｆｉｎｇｅｒ選択部
１１０１−１〜１１０１−Ｎ  Ｆｉｎｇｅｒ相関値レベル測定部
１２０１−１〜１２０１−Ｎ  エラービット数区間平均部
１２０２  最小平均エラービット数選択部
１３０１  最小エラービット数Ｆｉｎｇｅｒ選択部
１３０２  最小平均エラービット数Ｆｉｎｇｅｒ選択部
１４０２、１５０２  エラービット数＆ＳＩＲ判定部
１６０２−１〜１６０２−Ｎ  乗算部
１７０１  Ｆｉｎｇｅｒ設定部
【図１】
0003814519.tif 000004
【図２】
0003814519.tif 000005
【図３】
0003814519.tif 000006
【図４】
0003814519.tif 000007
【図５】
0003814519.tif 000008
【図６】
0003814519.tif 000009
【図７】
0003814519.tif 000010
【図８】
0003814519.tif 000011
【図９】
0003814519.tif 000012
【図１０】
0003814519.tif 000013
【図１１】
0003814519.tif 000014
【図１２】
0003814519.tif 000015
【図１３】
0003814519.tif 000016
【図１４】
0003814519.tif 000017
【図１５】
0003814519.tif 000018
【図１６】
0003814519.tif 000019
【図１７】
0003814519.tif 000020
【図１８】
0003814519.tif 000021
【図１９】
0003814519.tif 000022
【図２０】
0003814519.tif 000023
【図２１】
0003814519.tif 000024